(57)【特許請求の範囲】
【請求項１】
データ収集の１つの管理単位をサブシステムとし、自己のサブシステムにおけるデータ収集装置と他のサブシステムにおけるデータ収集装置とが通信回線を介して接続されたデータ収集システムにおいて、
前記自己のサブシステムに代理データ収集装置が設けられ、
この代理データ収集装置は、
前記自己のサブシステムにおけるデータ収集装置からのデータ収集要求を受けて、そのデータ収集装置が収集すべきデータの収集対象ポイントとして定められている管理ポイントの中から、そのデータ収集装置では実収集せずに前記他のサブシステムにおけるデータ収集装置で実収集する管理ポイントとして定められている共通管理ポイントを抽出する共通管理ポイント抽出手段と、
この共通管理ポイント抽出手段によって抽出された共通管理ポイントの実データを前記他のサブシステムにおけるデータ収集装置を介して収集する共通管理ポイント実データ収集手段と、
この共通管理ポイント実データ収集手段によって収集された共通管理ポイントの実データを前記データ収集要求の送信元のデータ収集装置へ転送する共通管理ポイント実データ転送手段と、
前記自己のサブシステムにおけるデータ収集装置からのデータ収集要求を受けて、そのデータ収集装置が収集すべきデータの収集対象ポイントとして定められている管理ポイントの中から、そのデータ収集装置で実収集する管理ポイントとして定められている実収集管理ポイントを抽出する実収集管理ポイント抽出手段と、
この実収集管理ポイント抽出手段によって抽出された実収集管理ポイントの実データの収集を前記データ収集要求の送信元のデータ収集装置へ指示する実データ収集指示手段と
を備えることを特徴とするデータ収集システム。
【請求項２】
データ収集の１つの管理単位をサブシステムとし、自己のサブシステムにおけるデータ収集装置と他のサブシステムにおけるデータ収集装置とが通信回線を介して接続されたシステムの前記自己のサブシステムに設けられた代理データ収集装置に適用されるデータ収集方法において、
前記自己のサブシステムにおけるデータ収集装置からのデータ収集要求を受けて、そのデータ収集装置が収集すべきデータの収集対象ポイントとして定められている管理ポイントの中から、そのデータ収集装置では実収集せずに前記他のサブシステムにおけるデータ収集装置で実収集する管理ポイントとして定められている共通管理ポイントを抽出する第１ステップと、
この第１ステップによって抽出された共通管理ポイントの実データを前記他のサブシステムにおけるデータ収集装置を介して収集する第２ステップと、
この第２ステップによって収集された共通管理ポイントの実データを前記データ収集要求の送信元のデータ収集装置へ転送する第３ステップと、
前記自己のサブシステムにおけるデータ収集装置からのデータ収集要求を受けて、そのデータ収集装置が収集すべきデータの収集対象ポイントとして定められている管理ポイントの中から、そのデータ収集装置で実収集する管理ポイントとして定められている実収集管理ポイントを抽出する第４ステップと、
この第４ステップによって抽出された実収集管理ポイントの実データの収集を前記データ収集要求の送信元のデータ収集装置へ指示する第５ステップと
を備えることを特徴とするデータ収集方法。
【発明の詳細な説明】
【技術分野】
【０００１】
この発明は、データ収集の１つの管理単位をサブシステムとし、サブシステム毎に各種のデータを収集するデータ収集システムおよびデータ収集方法に関するものである。
【背景技術】
【０００２】
従来より、テナントビル、ホテル、病院などの施設においては、施設毎にその施設内の温度や湿度などのデータを収集し、管理するようにしている。すなわち、施設内にデータの収集対象ポイントとして多数の管理ポイントを定め、これら管理ポイントのデータを収集するようにしている（例えば、特許文献１参照）。
【０００３】
図１１に従来のデータ収集システムの一例を示す。同図において、Ｓ１，Ｓ２は施設であり、施設Ｓ１にはデータ収集装置ＤＣ１−１〜ＤＣ１−ｍが設けられており、施設Ｓ２にはデータ収集装置ＤＣ２−１〜ＤＣ２−ｎが設けられている。
【０００４】
施設Ｓ１において、データ収集装置ＤＣ１−１〜ＤＣ１−ｍは通信回線Ｌ１に接続され、施設Ｓ２において、データ収集装置ＤＣ２−１〜ＤＣ２−ｎは通信回線Ｌ１に接続されている。
【０００５】
施設Ｓ１において、データ収集装置ＤＣ１−１は、施設Ｓ１内の管理ポイントＰ１1〜Ｐ１ｘのデータを収集し、蓄積する。データ収集装置ＤＣ１−ｍは、施設Ｓ１内の管理ポイントＰｍ1〜Ｐｍｘのデータを収集し、蓄積する。
【０００６】
施設Ｓ２において、データ収集装置ＤＣ２−１は、施設Ｓ２内の管理ポイントＰ２1〜Ｐ２ｘのデータを収集し、蓄積する。データ収集装置ＤＣ２−ｎは、施設Ｓ２内の管理ポイントＰｎ1〜Ｐｎｘのデータを収集し、蓄積する。
【０００７】
なお、図１１には施設ＳとしてＳ１，Ｓ２の２つしか示していないが、同様の施設Ｓが多数存在する。
【０００８】
【特許文献１】特開２００１−１１１７０４号公報
【発明の開示】
【発明が解決しようとする課題】
【０００９】
しかしながら、図１１に示したデータ収集システムでは、施設Ｓ内のデータ収集装置ＤＣの設置数が増えれば増えるほど、通信負荷が増大し、ひいては通信の遅れが発生してしまう結果となる。そこで、従来においては、通信負荷が増大しないように、施設Ｓ内のデータ収集装置ＤＣの設置数に上限を設けていた。しかし、施設Ｓ内のデータ収集装置ＤＣの設置数に上限を設けると、施設Ｓ内の管理ポイントの数を大規模化することが困難となる。
【００１０】
なお、例えば、施設Ｓ１の管理ポイントＰ１1と施設Ｓ２の管理ポイントＰ２1とがそのデータを共通として使用することが可能な管理ポイントであった場合、施設Ｓ１では管理ポイントＰ１1の実データを収集せずに、施設Ｓ２でのみ管理ポイントＰ２1の実データを収集するようにし、収集した管理ポイントＰ２1の実データを管理ポイントＰ１1のデータとして使用するようにすることが考えられる。
【００１１】
この場合、図１２に示すように、管理装置１００を設け、施設Ｓ２のデータ収集装置ＤＣ２−１から送られてくる管理ポイントＰ２1〜Ｐ２ｘのデータから管理ポイントＰ２1の実データを抽出し、その抽出した管理ポイントＰ２1の実データを施設Ｓ１のデータ収集装置ＤＣ１−１へ転送するようにすれば、データ収集装置ＤＣ１−１において管理ポイントＰ２1の実データを管理ポイントＰ１1のデータとして使用することが可能となる。これにより、施設Ｓ１では、他の新たな管理ポイントＰ１ｘ+1のデータを収集することが可能となり、実質的に施設Ｓ１内の管理ポイントの数が増大することになる。
【００１２】
しかしながら、このような方法では、管理装置１００が施設Ｓ２内のデータ収集装置ＤＣ２−１から管理ポイントＰ２1〜Ｐ２ｘの収集・蓄積データを取り込むまで待たなければならず、リアルタイム性に欠けるものとなる。なお、このデータ収集システムでは、施設Ｓがデータ収集の１つの管理単位とされる。本発明では、このデータ収集の１つの管理単位をサブシステムと呼ぶ。
【００１３】
本発明は、このような課題を解決するためになされたもので、その目的とするところは、リアルタイム性を欠くことなく、サブシステム内の管理ポイントの数を大規模化することが可能なデータ収集システムおよびデータ収集方法を提供することにある。
【課題を解決するための手段】
【００１４】
このような目的を達成するために本発明は、データ収集の１つの管理単位をサブシステムとし、自己のサブシステムにおけるデータ収集装置と他のサブシステムにおけるデータ収集装置とが通信回線を介して接続されたデータ収集システムにおいて、自己のサブシステムに代理データ収集装置が設けられ、この代理データ収集装置は、自己のサブシステムにおけるデータ収集装置からのデータ収集要求を受けて、そのデータ収集装置が収集すべきデータの収集対象ポイントとして定められている管理ポイントの中から、そのデータ収集装置では実収集せずに他のサブシステムにおけるデータ収集装置で実収集する管理ポイントとして定められている共通管理ポイントを抽出する共通管理ポイント抽出手段と、この共通管理ポイント抽出手段によって抽出された共通管理ポイントの実データを他のサブシステムにおけるデータ収集装置を介して収集する共通管理ポイント実データ収集手段と、この共通管理ポイント実データ収集手段によって収集された共通管理ポイントの実データをデータ収集要求の送信元のデータ収集装置へ転送する共通管理ポイント実データ転送手段と、自己のサブシステムにおけるデータ収集装置からのデータ収集要求を受けて、そのデータ収集装置が収集すべきデータの収集対象ポイントとして定められている管理ポイントの中から、そのデータ収集装置で実収集する管理ポイントとして定められている実収集管理ポイントを抽出する実収集管理ポイント抽出手段と、この実収集管理ポイント抽出手段によって抽出された実収集管理ポイントの実データの収集をデータ収集要求の送信元のデータ収集装置へ指示する実データ収集指示手段とを備えることを特徴とする。
【００１５】
この発明において、自己のサブシステムにおける代理データ収集装置は、自己のサブシステムにおけるデータ収集装置からのデータ収集要求を受けると、そのデータ収集装置が収集すべきデータの収集対象ポイントとして定められている管理ポイントの中から、そのデータ収集装置では実収集せずに他のサブシステムにおけるデータ収集装置で実収集する管理ポイント（共通管理ポイント）を抽出する。ここで、共通管理ポイントが抽出されれば、その抽出された共通管理ポイントの実データを他のサブシステムにおけるデータ収集装置を介して収集し、この収集した共通管理ポイントの実データをデータ収集要求の送信元のデータ収集装置へ転送する。
【００１６】
これにより、自己のサブシステムにおけるデータ収集装置は、代理データ収集装置へデータ収集要求を発する毎に、自己のサブシステムでは実際には収集しない共通管理ポイントの実データを他のサブシステムからリアルタイムで得ることができる。また、自己のサブシステムにおけるデータ収集装置では、共通管理ポイントの代わりに他の新たな管理ポイントのデータを実収集することが可能となる。
【００１７】
また、自己のサブシステムにおける代理データ収集装置は、共通管理ポイントではない管理ポイント、すなわち実際にデータを収集する管理ポイント（実収集管理ポイント）については、その実データの収集をデータ収集要求の送信元のデータ収集装置へ指示する。
【００１８】
また、本発明は、データ収集システムとしてではなく、データ収集方法として実現することも可能である。本願の請求項２の発明は、請求項１のデータ収集システムに係る発明を方法としたものである。
【発明の効果】
【００１９】
本発明によれば、自己のサブシステムにおける代理データ収集装置は、自己のサブシステムにおけるデータ収集装置からのデータ収集要求を受けて、そのデータ収集装置が収集すべきデータの収集対象ポイントとして定められている管理ポイントの中から、そのデータ収集装置では実収集せずに他のサブシステムにおけるデータ収集装置で実収集する共通管理ポイントを抽出し、この抽出した共通管理ポイントの実データを他のサブシステムにおけるデータ収集装置を介して収集し、この収集した共通管理ポイントの実データをデータ収集要求の送信元のデータ収集装置へ転送するので、自己のサブシステムにおけるデータ収集装置において、実際には収集しない共通管理ポイントの実データを他のサブシステムからリアルタイムで得ることができるようになり、リアルタイム性を欠くことなく、サブシステム内の管理ポイントの数を大規模化することが可能となる。
【発明を実施するための最良の形態】
【００２０】
以下、本発明を図面に基づいて詳細に説明する。図１はこの発明に係るデータ収集システムの一実施の形態を示す図である。同図において、図１１と同一符号は図１１を参照して説明した構成要素と同一或いは同等構成要素を示し、その説明は省略する。
【００２１】
この実施の形態において、施設Ｓ１には代理データ収集装置ＰＤＣ１が設けられており、データ収集装置ＤＣ１−１〜ＤＣ１−ｍと同様に通信回線Ｌ１に接続されている。
【００２２】
また、施設Ｓ２には代理データ収集装置ＰＤＣ２が設けられており、データ収集装置ＤＣ２−１〜ＤＣ２−ｎと同様に通信回線Ｌ１に接続されている。
【００２３】
なお、この実施の形態において、通信回線Ｌ１は、ＩＰプロトコルネットワークとされている。また、この実施の形態では、施設ＳとしてＳ１，Ｓ２の２つしか示していないが、同様の施設Ｓが多数存在する。また、この実施の形態では、施設Ｓをデータ収集の１つの管理単位とし、このデータ収集の１つの管理単位である施設Ｓをサブシステムと呼ぶ。サブシステムＳにおいて、データ収集装置ＤＣの数の上限は、１００台とされている。
【００２４】
図２に代理データ収集装置ＰＤＣのハードウェア構成の概略を示す。同図において、１ＡはＣＰＵ、１ＢはＲＡＭ、１ＣはＲＯＭ、１Ｄはハードディスクなどの記憶装置、１Ｅはインターフェイスである。ＣＰＵ１Ａは、ＲＡＭ１Ｂにアクセスしながら、ＲＯＭ１Ｃや記憶装置１Ｄに格納されたプログラムに従って動作する。記憶装置１Ｄには、本実施の形態特有のプログラムとして、代理データ収集プログラムが格納されている。この代理データ収集プログラムは、例えばＣＤ−ＲＯＭなどの記録媒体に記録された状態で提供され、この記録媒体から読み出されて記憶装置１Ｄにインストールされている。
【００２５】
〔管理ポイント定義情報の作成〕
このデータ収集システムにおいて、各サブシステムＳの代理データ収集装置ＰＤＣには、運用を開始する前に管理ポイント定義情報を作成し記憶させておく。
【００２６】
例えば、サブシステムＳ１の代理データ収集装置ＰＤＣ１の場合、自己のサブシステムＳ１においてデータ収集装置ＤＣ１−１〜ＤＣ１−ｍが収集すべきデータの収集対象ポイントを管理ポイントとし、この管理ポイントのアドレスをその名称を付して登録する（図３：ステップＳ１０１）。
【００２７】
そして、この登録した管理ポイント中、自己のサブシステムＳ１では実収集せずに他のサブシステムＳにおいて実収集する管理ポイントを共通管理ポイントとし、この共通管理ポイントのアドレスに対応して他のサブシステムＳにおいて実収集する管理ポイントのアドレスを代理収集管理ポイントアドレスとして登録する。
【００２８】
これにより、図４に示すような管理ポイント定義情報ＴＢ１が作成され、代理データ収集装置ＰＤＣ１の記憶装置１Ｄに記憶される。この例では、データ収集装置ＤＣ１−１が収集すべきデータの収集対象ポイントとして管理ポイントＰ１1〜Ｐ１ｘ+1のアドレス「１−１−１」〜「１−１−Ｘ+1」が登録され、管理ポイントＰ１1のアドレス「１−１−１」に対応してサブシステムＳ２におけるデータ収集装置ＤＣ２−１で実収集する管理ポイントＰ２1のアドレス「２−１−１」が代理収集管理ポイントアドレスとして登録されている。他のデータ収集装置ＤＣについても、同様にして、その管理ポイントアドレスに対応して代理収集管理ポイントアドレスが登録されている。
【００２９】
サブシステムＳ２の代理データ収集装置ＰＤＣ２でも管理ポイント定義情報を作成する。この場合も、上述と同様に、自己のサブシステムＳ２においてデータ収集装置ＤＣ２−１〜ＤＣ２−ｎが収集すべきデータの収集対象ポイントを管理ポイントとし、この管理ポイントのアドレスを登録する。また、登録した管理ポイント中、自己のサブシステムＳ２では実収集せずに他のサブシステムＳにおいて実収集する管理ポイントを共通管理ポイントとし、この共通管理ポイントに対応して他のサブシステムＳにおいて実収集する管理ポイントのアドレスを代理収集管理ポイントアドレスとして登録する。
【００３０】
図５に代理データ収集装置ＰＤＣ２において作成される管理ポイント定義情報ＴＢ２を例示する。この例において、サブシステムＳ２には、他のサブシステムＳでそのデータを実収集する共通管理ポイントはない。したがって、管理ポイント定義情報ＴＢ２中、代理収集管理ポイントアドレスは登録されていない。この管理ポイント定義情報ＴＢ２は代理データ収集装置ＰＤＣ２の記憶装置１Ｄに記憶される。
【００３１】
〔運用開始〕
今、このデータ収集システムにおいて、サブシステムＳ１の代理データ収集装置ＰＤＣ１の電源をオンとし、運用を開始するものとする。なお、他のサブシステムＳの代理データ収集装置ＰＤＣの電源はすでにオンとされ、運用を開始している状態にあるものとする。また、代理データ収集装置ＰＤＣにおける以下で説明する処理動作は、記憶装置１Ｄにインストールされている代理データ収集プログラムに従ってＣＰＵ１Ａが実行する。
【００３２】
代理データ収集装置ＰＤＣ１は、電源がオンとされると（図６：ステップＳ２０１のＹＥＳ）、自己のサブシステムＳ１の管理ポイント定義情報ＴＢ１を検索し、この管理ポイント定義情報ＴＢ１の中から共通管理ポイントを抽出する（ステップＳ２０２）。この例では、代理収集管理ポイントアドレスが付されている管理ポイントアドレス「１−１−１」、「１−３−１」、「１−３−２」で示される管理ポイントを共通管理ポイントとして抽出する。
【００３３】
そして、この抽出した共通管理ポイントの代理収集管理ポイントアドレスによって特定される他のサブシステムＳの代理データ収集装置ＰＤＣへ、その共通管理ポイントの管理ポイントアドレスと代理収集管理ポイントアドレスを送信する（ステップＳ２０３）。
【００３４】
他のサブシステムＳの代理データ収集装置ＰＤＣは、サブシステムＳ１の代理データ収集装置ＰＤＣ１から代理収集管理ポイントアドレスを受信すると（図７：ステップＳ３０１のＹＥＳ）、受信した代理収集管理ポイントアドレスによって示される管理ポイントを自己のサブシステムＳで実収集する共通の管理ポイント（実収集共通管理ポイント）とし、受信した代理収集管理ポイントアドレスに付加されている管理ポイントアドレスと対応づけて、自己のサブシステムＳの管理ポイント定義情報に追加登録する（ステップＳ３０２）。
【００３５】
例えば、サブシステムＳ１における管理ポイントＰ１1で説明すると、サブシステムＳ１の代理データ収集装置ＰＤＣ１は、サブシステムＳ１の管理ポイント定義情報ＴＢ１の中から管理ポイントＰ１1を共通管理ポイントとして抽出し、この抽出した共通管理ポイントＰ１1の代理収集管理ポイントアドレス「２−１−１」の先頭のアドレス「２」よりサブシステムＳ２の代理データ収集装置ＰＤＣ２を特定する。そして、この特定したサブシステムＳ２の代理データ収集装置ＰＤＣ２へ、その共通管理ポイントＰ１1の管理ポイントアドレス「１−１−１」と代理収集管理ポイントアドレス「２−１−１」を送信する（図８：矢印(１)）。
【００３６】
サブシステムＳ２の代理データ収集装置ＰＤＣ２は、サブシステムＳ１の代理データ収集装置ＰＤＣ１からの代理収集管理ポイントアドレス「２−１−１」を受信すると、この受信した代理収集管理ポイントアドレス「２−１−１」で示される管理ポイントＰ２1を自己のサブシステムＳ２での実収集共通管理ポイントとし、受信した代理収集管理ポイントアドレス「２−１−１」に付加されている管理ポイントアドレス「１−１−１」と対応づけて、自己のサブシステムＳ２の管理ポイント定義情報ＴＢ２に追加登録する。
【００３７】
〔データ収集〕
次に、サブシステムＳ１の代理データ収集装置ＰＤＣ１は、自己のサブシステムＳ１のデータ収集装置ＤＣ１−１〜ＤＣ１−ｍからデータ収集要求メッセージがあるか否かの監視を始める（図９：ステップＳ４０１）。
【００３８】
ここで、例えば、データ収集装置ＤＣ１−１からデータ収集要求メッセージがあると（ステップＳ４０１のＹＥＳ、図８：矢印(２)）、代理データ収集装置ＰＤＣ１は、自己のサブシステムＳ１の管理ポイント定義情報ＴＢ１を検索し、データ収集装置ＤＣ１−１が収集すべきデータの収集対象ポイントとして定められている管理ポイントの中から、データ収集装置ＤＣ１−１で実収集する管理ポイント（実収集管理ポイント）を抽出する（ステップＳ４０２）。
【００３９】
この場合、管理ポイントアドレス「１−１−１」〜「１−１−Ｘ+1 」の中から代理収集管理ポイントアドレスが付されていない管理ポイントアドレス「１−１−２」〜「１−１−Ｘ+1 」で示される管理ポイントを実収集管理ポイントとして抽出する。
【００４０】
そして、その抽出した実収集管理ポイントの実データの収集をデータ収集要求メッセージの送信元のデータ収集装置ＤＣ１−１へ指示する（ステップＳ４０４、図８：矢印（３））。
【００４１】
なお、ステップＳ４０２において、実収集管理ポイントが抽出されなかった場合には（ステップＳ４０３のＮＯ）、ステップＳ４０４へは進まずに、直ちにステップＳ４０５へ進む。
【００４２】
次に、代理データ収集装置ＰＤＣ１は、自己のサブシステムＳ１の管理ポイント定義情報ＴＢ１を検索し、データ収集装置ＤＣ１−１が収集すべきデータの収集対象ポイントとして定められている管理ポイントの中から、データ収集装置ＤＣ１−１では実収集せずに他のサブシステムＳにおけるデータ収集装置ＤＣで実収集する管理ポイント（共通管理ポイント）を抽出する（ステップＳ４０５）。
【００４３】
この場合、管理ポイントアドレス「１−１−１」〜「１−１−Ｘ+1 」の中から代理収集管理ポイントアドレスが付されている管理ポイントアドレス「１−１−１」で示される管理ポイントＰ１1を共通管理ポイントとして抽出する。
代理データ収集装置ＰＤＣ１は、管理ポイントＰ１1を共通管理ポイントとして抽出すると（ステップＳ４０６のＹＥＳ）、この共通管理ポイントの代理収集管理ポイントアドレス「２−１−１」によって特定されるサブシステムＳ２のデータ収集装置ＤＣ２−１へ、その代理収集管理ポイントアドレス「２−１−１」によって示される管理ポイントの実データの収集および返送を指示する（ステップＳ４０７、図８：矢印（４））。
【００４４】
この指示を受けて、サブシステムＳ２のデータ収集装置ＤＣ２−１は、管理ポイントＰ２1の実データを収集し（図８：矢印（５））、サブシステムＳ１の代理データ収集装置ＰＤＣ１へ返送する（図８：矢印（６））。
【００４５】
サブシステムＳ１の代理データ収集装置ＰＤＣ１は、サブシステムＳ２のデータ収集装置ＰＤＣ２から管理ポイントＰ２1の実データが返送されてくると（ステップＳ４０８のＹＥＳ）、その返送されてきた実データの収集元の管理ポイントアドレス「２−１−１」を自己のサブシステムＳ１の管理ポイントアドレス「１−１−１」に置き換え、この置き換えた管理ポイントアドレス「１−１−１」からの実データとして、データ収集要求メッセージの送信元のデータ収集装置ＤＣ１−１へ転送する（ステップＳ４０９、図８：矢印（７））。
【００４６】
なお、ステップＳ４０６において共通管理ポイントが抽出されなかった場合には、ステップＳ４０７以下の処理へは進まずに、ステップＳ４０１の処理へと戻る。
【００４７】
このようにして、サブシステムＳ１におけるデータ収集装置ＤＣ１−１は、代理データ収集装置ＰＤＣ１へデータ収集要求メッセージを送信する毎に、サブシステムＳ１では実際には収集しない共通管理ポイントＰ１1の実データをサブシステムＳ２からリアルタイムで得ながら、管理ポイントＰ１1〜Ｐ１ｘ+1のデータ収集を行う。
【００４８】
この場合、サブシステムＳ１におけるデータ収集装置ＤＣ１−１では、共通管理ポイントＰ１1の代わりに他の新たな管理ポイントＰ１ｘ+1のデータを実収集している。すなわち、データ収集装置ＤＣ−１に接続し得る管理ポイントの数をＮｍａｘとした場合、データ収集装置ＤＣ−１ではＮｍａｘ＋１個のデータ収集を行うことができ、実質的に管理ポイントが増大している。この例では、データ収集装置ＤＣ１−１に対して共通管理ポイントを１つしか定めていないが、このような共通管理ポイントをさらに多く定めることによって、サブシステムＳ１内の管理ポイントの数を大規模化することが可能となる。
【００４９】
なお、上述した実施の形態では、サブシステムＳ１における代理データ収集装置ＰＤＣ１を例にとってその処理動作について説明したが、サブシステムＳ２における代理データ収集装置ＰＤＣ２でも同様の処理動作が行われる。
【００５０】
また、上述した実施の形態では、データ収集装置ＤＣ１−１から代理データ収集装置ＰＤＣ１へデータ送信要求メッセージを送るようにしたが、サブシステムＳ１における他のデータ収集装置ＤＣ１（ＤＣ１−２〜ＤＣ１−ｍ）からデータ送信要求メッセージが送られてきた場合にも、代理データ収集装置ＰＤＣ１は同様の処理動作を行う。
【００５１】
また、例えば、サブシステムＳ１内のデータ収集装置ＤＣ１−１から代理データ収集装置ＰＤＣ１へ共通管理ポイントＰ１1への起動・停止などの命令を送り、データ収集装置ＤＣ１−１においてその共通管理ポイントＰ１1の代理収集管理ポイントアドレス「２−１−１」を抽出し、この代理収集管理ポイントアドレス「２−１−１」で示されるサブシステムＳ２の管理ポイントＰ２1へ、その命令を送るようにしてもよい。
【００５２】
参考として、図１０に、上述した実施の形態における代理データ収集装置ＰＤＣ１の機能ブロック図を示す。代理データ収集装置ＰＤＣ１は、共通管理ポイント抽出手段２Ａと、共通管理ポイント実データ収集手段２Ｂと、共通管理ポイント実データ転送手段２Ｃと、実収集管理ポイント抽出手段２Ｄと、実データ収集指示手段２Ｅとを備えている。これらの手段２Ａ〜２ＥはＣＰＵ１Ａの処理機能として実現される。
【００５３】
代理データ収集装置ＰＤＣ１において、共通管理ポイント抽出手段２Ａは、自己のサブシステムＳ１におけるデータ収集装置ＤＣ１からのデータ収集要求メッセージを受けて、データ収集装置ＤＣ１が収集すべきデータの収集対象ポイントとして定められている管理ポイントの中から、データ収集装置ＤＣ１では実収集せずに他のサブシステムＳにおけるデータ収集装置ＤＣで実収集する管理ポイントとして定められている共通管理ポイントを抽出する。
【００５４】
共通管理ポイント実データ収集手段２Ｂは、共通管理ポイント抽出手段２Ａによって抽出された共通管理ポイントの実データを他のサブシステムＳにおけるデータ収集装置ＤＣを介して収集する。共通管理ポイント実データ転送手段２Ｃは、共通管理ポイント実データ収集手段２Ｂによって収集された共通管理ポイントの実データをデータ収集要求メッセージの送信元のデータ収集装置ＤＣ１へ転送する。
【００５５】
実収集管理ポイント抽出手段２Ｄは、自己のサブシステムＳ１におけるデータ収集装置ＤＣ１からのデータ収集要求を受けて、データ収集装置ＤＣ１が収集すべきデータの収集対象ポイントとして定められている管理ポイントの中から、データ収集装置ＤＣ１で実収集する管理ポイントとして定められている管理ポイントを実収集管理ポイントとして抽出する。実データ収集指示手段２Ｅは、実収集管理ポイント抽出手段２Ｄによって抽出された実収集管理ポイントの実データの収集をデータ収集要求メッセージの送信元のデータ収集装置ＤＣ１へ指示する。
【図面の簡単な説明】
【００５６】
【図１】本発明に係るデータ収集システムの一実施の形態を示す図である。
【図２】このデータ収集システムにおいて用いる代理データ収集装置のハードウェア構成の概略を示す図である。
【図３】管理ポイント定義情報を作成する際の管理ポイントアドレスおよび代理収集管理ポイントアドレスの登録処理を説明するためのフローチャートである。
【図４】サブシステムＳ１において作成する管理ポイント定義情報ＴＢ１を例示する図である。
【図５】サブシステムＳ２において作成する管理ポイント定義情報ＴＢ２を例示する図である。
【図６】代理データ収集装置における他の代理データ収集装置への代理収集管理ポイントの送信処理を説明するためのフローチャートである。
【図７】代理データ収集装置における他の代理データ収集装置からの代理収集管理ポイントアドレスの受信処理を説明するためのフローチャートである。
【図８】このデータ収集システムにおける代理データ収集装置の処理動作を説明するためのデータ収集要求メッセージや収集した実データの流れなどを示す図である。
【図９】データ収集要求メッセージを受けた場合の代理データ収集装置における処理動作を示すフローチャートである。
【図１０】参考として示す代理データ収集装置の機能ブロック図である。
【図１１】従来のデータ収集システムの一例を示す図である。
【図１２】従来のデータ収集システムで考えられる他の施設で収集した実データの管理装置からの転送を説明する図である。
【符号の説明】
【００５７】
ＤＣ（ＤＣ１（ＤＣ１−１〜ＤＣ１−ｍ）、ＤＣ２（ＤＣ２−１〜ＤＣ２−ｎ））…データ収集装置、ＰＤＣ（ＰＤＣ１，ＰＤＣ２）…代理データ収集装置、ＲＴ（ＲＴ１，ＲＴ２）…ルータ、Ｌ１…通信回線、Ｐ（Ｐ１1〜Ｐ１ｘ+1、Ｐｍ1〜Ｐｍｘ、Ｐ２1〜Ｐ２ｘ、Ｐｎ1〜Ｐｎｘ）…管理ポイント、Ｓ（Ｓ１，Ｓ２）…施設（サブシステム）、ＴＢ１，ＴＢ２…管理ポイント定義情報、１Ａ…ＣＰＵ、１Ｂ…ＲＡＭ、１Ｃ…ＲＯＭ、１Ｄ…記憶装置、１Ｅ…インタフェース、２Ａ…共通管理ポイント抽出手段、２Ｂ…共通管理ポイント実データ収集手段、２Ｃ…共通管理ポイント実データ転送手段、２Ｄ…実収集管理ポイント抽出手段、２Ｅ…実データ収集指示手段。
【図１】
0005091648.tif 000002
【図２】
0005091648.tif 000003
【図３】
0005091648.tif 000004
【図４】
0005091648.tif 000005
【図５】
0005091648.tif 000006
【図６】
0005091648.tif 000007
【図７】
0005091648.tif 000008
【図８】
0005091648.tif 000009
【図９】
0005091648.tif 000010
【図１０】
0005091648.tif 000011
【図１１】
0005091648.tif 000012
【図１２】
0005091648.tif 000013